(57)【要約】      （修正有）【課題】表示装置で表示するコンテンツの切り替えを容易に行えるようにする。【解決手段】コンテンツ制御装置のＣＰＵは、センサによりデジタルサイネージ装置の向きの情報と自装置の向きの情報とを取得する。自装置の向きがデジタルサイネージ装置の向きと同じであるか否かを判断する。向きが同じであると判断した場合、ＣＰＵは、コンテンツ記憶部に記憶されている状態１のコンテンツを表示部に表示させる。向きと異なると判断した場合、ＣＰＵは、コンテンツ記憶部に記憶されている状態２のコンテンツを表示部に表示させる。【選択図】図４
2018045348.tif 000002
【特許請求の範囲】
【請求項１】
外部の表示装置に表示するコンテンツを制御するコンテンツ制御装置であって、
前記表示装置の向きの情報を取得する第１の取得部と、
自装置の向きの情報を取得する第２の取得部と、
前記表示装置の向きの情報と前記自装置の向きの情報とに基づいて、前記表示装置に表示するコンテンツを切り替える制御部と、
を備えるコンテンツ制御装置。
【請求項２】
前記表示装置の向きは、前記表示装置の表示部の向きであり、
前記自装置の向きは、前記自装置の操作部の向きであり、
前記自装置の操作部は、前記表示装置に対するユーザ操作を入力可能である請求項１に記載のコンテンツ制御装置。
【請求項３】
前記制御部は、前記表示装置の向きと前記自装置の向きが同じである場合は、前記表示装置に表示するコンテンツを前記操作部によりユーザ操作を受け付けるコンテンツに切り替える請求項２に記載のコンテンツ制御装置。
【請求項４】
前記制御部は、前記表示装置の向きと前記自装置の向きが異なる場合は、前記表示装置に表示するコンテンツを、ユーザ操作を受け付けないコンテンツに切り替える請求項３に記載のコンテンツ制御装置。
【請求項５】
前記制御部は、前記表示装置の向きと前記自装置の向きが異なる場合は、前記表示装置に表示するコンテンツをモーションセンサによりユーザ操作を受け付けるコンテンツに切り替える請求項３に記載のコンテンツ制御装置。
【請求項６】
前記操作部は、表示部の表示画面上にタッチパネルを備えて構成されており、
前記制御部は、前記表示装置の向きと前記自装置の向きが同じである場合は、前記表示装置に表示するコンテンツを２つの表示部を使用するコンテンツに切り替える請求項２に記載のコンテンツ制御装置。
【請求項７】
前記制御部は、前記表示装置の向きと前記自装置の向きが異なり、前記自装置が上向きである場合は、前記表示装置に表示するコンテンツを前記操作部によりユーザ操作を受け付けるコンテンツに切り替え、前記自装置が上向きでない場合は、前記表示装置に表示するコンテンツをユーザ操作を受け付けないコンテンツに切り替える請求項６に記載のコンテンツ制御装置。
【請求項８】
外部の表示装置に表示するコンテンツを制御するコンテンツ制御装置におけるコンテンツ制御方法であって、
前記表示装置の向きの情報を取得する第１の取得工程と、
自装置の向きの情報を取得する第２の取得工程と、
前記表示装置の向きの情報と前記自装置の向きの情報とに基づいて、前記表示装置に表示するコンテンツを切り替える制御工程と、
を含むコンテンツ制御方法。
【請求項９】
外部の表示装置に表示するコンテンツを制御するコンテンツ制御装置に用いられるコンピュータを、
前記表示装置の向きの情報を取得する第１の取得部、
自装置の向きの情報を取得する第２の取得部、
前記表示装置の向きの情報と前記自装置の向きの情報とに基づいて、前記表示装置に表示するコンテンツを切り替える制御部、
として機能させるためのプログラム。
【発明の詳細な説明】
【技術分野】
【０００１】
本発明は、コンテンツ制御装置、コンテンツ制御方法及びプログラムに関する。
【背景技術】
【０００２】
従来、広告コンテンツに登場する人物等の輪郭の形状に形成されたスクリーンに当該コンテンツを投影することにより、閲覧者に対して印象を高めることができる映像出力装置が知られている（例えば、特許文献１参照）。
【先行技術文献】
【特許文献】
【０００３】
【特許文献１】特開２０１１−１５０２２１号公報
【発明の概要】
【発明が解決しようとする課題】
【０００４】
特許文献１に記載の映像出力装置は、一方的な映像を出力するだけであり、出力するコンテンツを切り替えることについては記載がない。一般的に、表示装置において表示するコンテンツを切り替える場合には、入力部からユーザがコンテンツを切り替える操作を行わなければならず、煩雑で時間がかかる。
【０００５】
本発明の課題は、表示装置で表示するコンテンツの切り替えを容易に行えるようにすることである。
【課題を解決するための手段】
【０００６】
上記課題を解決するため、請求項１に記載の発明は、
外部の表示装置に表示するコンテンツを制御するコンテンツ制御装置であって、
前記表示装置の向きの情報を取得する第１の取得部と、
自装置の向きの情報を取得する第２の取得部と、
前記表示装置の向きの情報と前記自装置の向きの情報とに基づいて、前記表示装置に表示するコンテンツを切り替える制御部と、
を備える。
【発明の効果】
【０００７】
本発明によれば、表示装置で表示するコンテンツの切り替えを容易に行うことが可能となる。
【図面の簡単な説明】
【０００８】
【図１】本実施形態におけるコンテンツ表示システムの全体構成を示す図である。
【図２】図１のコンテンツ制御装置の機能的構成を示すブロック図である。
【図３】図１のデジタルサイネージ装置の機能的構成を示すブロック図である。
【図４】図２のＣＰＵにより実行されるコンテンツ制御処理を示すフローチャートである。
【図５】デジタルサイネージ装置とコンテンツ制御装置の向きが同じ場合を示す図である。
【図６】デジタルサイネージ装置とコンテンツ制御装置の向きが異なる場合を示す図である。
【発明を実施するための形態】
【０００９】
以下、添付図面を参照して本発明に係る実施形態を詳細に説明する。なお、本発明は、図示例に限定されるものではない。
【００１０】
［コンテンツ表示システム１００の構成］
図１は、本発明の実施形態におけるコンテンツ表示システム１００の全体構成を示す図である。コンテンツ表示システム１００は、例えば、店舗等に設置され、広告コンテンツを表示するシステムであり、図１に示すように、コンテンツ制御装置１とデジタルサイネージ装置２とを備えて構成されている。
【００１１】
［コンテンツ制御装置１の構成］
コンテンツ制御装置１は、デジタルサイネージ装置２に表示するコンテンツを制御する装置である。
【００１２】
図２は、本実施形態におけるコンテンツ制御装置１の主制御構成を示すブロック図である。図２に示すように、コンテンツ制御装置１は、ＣＰＵ（Central Processing Unit）１１、操作表示部１２、記憶部１３、通信部１４、センサ１５等を備えて構成されている。
【００１３】
ＣＰＵ１１は、記憶部１３のプログラム記憶部１３１に記憶されているプログラムとの協働により、各種処理を実行する。例えば、ＣＰＵ１１は、プログラム記憶部１３１に記憶されているプログラムとの協働により、後述するコンテンツ制御処理を実行し、デジタルサイネージ装置２の向きと自装置の向きとに基づいて、デジタルサイネージ装置２に表示するコンテンツを切り替える。ＣＰＵ１１は、制御部として機能する。また、ＣＰＵ１１は、センサ１５との協働により、第１の取得部、第２の取得部として機能する。
【００１４】
操作表示部１２は、ＬＣＤ（Liquid Crystal  Display）により構成されており、ＣＰＵ１１から入力される表示信号の指示に従って、各種画面を表示する。また、操作表示部１２の表面は、透明電極を格子状に配置したタッチパネルで覆われており、手指やタッチペン等で押下された位置を検出し、その位置情報を操作情報としてＣＰＵ１１に出力する。操作表示部１２は、操作部及び表示部として機能する。
【００１５】
記憶部１３は、ＨＤＤ（Hard Disk Drive）や不揮発性の半導体メモリ等により構成される。記憶部１３には、図２に示すように、プログラム記憶部１３１、コンテンツ記憶部１３２が設けられている。
【００１６】
プログラム記憶部１３１には、ＣＰＵ１１で実行されるシステムプログラムや各種処理プログラム、これらのプログラムの実行に必要なデータ等が記憶されている。
【００１７】
コンテンツ記憶部１３２には、デジタルサイネージ装置２の表示部２３に表示される状態１のコンテンツのコンテンツ情報（コンテンツデータ）と、状態２のコンテンツのコンテンツ情報とが記憶されている。コンテンツ情報は、例えば、複数のフレーム画像により構成される画像データ及び各フレーム画像に対応する音声データにより構成されている。また、コンテンツ記憶部１３２には、状態１のコンテンツのコンテンツ情報に対応付けて、そのコンテンツを表示する際に併せて操作表示部１２に表示する操作画面の画面情報が記憶されている。
【００１８】
ここで、状態１のコンテンツとは、ユーザの操作を受け付けるコンテンツである。例えば、ユーザ操作に応じてくじ引きを行うコンテンツ等が挙げられる。状態２のコンテンツとは、ユーザ操作を受け付けないコンテンツである。例えば、映像を流すコンテンツ等が挙げられる。
【００１９】
通信部１４は、デジタルサイネージ装置２とのデータ通信を行うためのインターフェースである。なお、コンテンツ制御装置１とデジタルサイネージ装置２の通信は、有線であっても無線であってもよい。
【００２０】
センサ１５は、例えば、ジャイロセンサ、加速度センサ、地磁気センサ等を備えて構成され、自装置の向きを検知して検知結果をＣＰＵ１１に出力する。
【００２１】
［デジタルサイネージ装置２の構成］
デジタルサイネージ装置２は、コンテンツ制御装置１から送信されたコンテンツ情報に基づいて、コンテンツを表示する表示装置である。
【００２２】
図３は、本実施形態におけるデジタルサイネージ装置２の主制御構成を示すブロック図である。図３に示すように、デジタルサイネージ装置２は、ＣＰＵ２１、プロジェクタ２２、表示部２３、音声出力部２４、記憶部２５、通信部２６、モーションセンサ２７等を備えて構成されている。
【００２３】
ＣＰＵ２１は、記憶部２５に記憶されているプログラムとの協働により、各種処理を実行する。例えば、ＣＰＵ２１は、記憶部２５に記憶されているプログラムとの協働により、コンテンツ制御装置１から送信されたコンテンツ情報に基づいてプロジェクタ２２により表示部２３にコンテンツを表示させたり、音声出力部２４にコンテンツの音声を出力させたりする。
【００２４】
プロジェクタ２２は、ＣＰＵ２１から出力されたコンテンツの画像データを映像光に変換して表示部２３に向けて照射する投影装置である。プロジェクタ２２は、例えば、アレイ状に配列された複数個（ＸＧＡの場合、横１０２４画素×縦７６８画素）の微小ミラーの各傾斜角度を個々に高速でオン／オフ動作して表示動作することでその反射光により光像を形成する表示素子であるＤＭＤ（デジタルマイクロミラーデバイス）を利用したＤＬＰ（Digital Light Processing）(登録商標)プロジェクタが適用可能である。
【００２５】
表示部２３は、プロジェクタ２２から照射されたコンテンツの映像光の照射方向に対して略直交するように配置された、例えばアクリル板などの一枚の透光板に、フィルム状のフレネルレンズが積層された背面投影用のフィルムスクリーンが貼付されて構成されている。表示部２３は、プロジェクタ２２から照射された映像光を背面で受けて前面に表示する。
【００２６】
音声出力部２４は、スピーカ等により構成され、コンテンツ制御装置１から送信されたコンテンツ情報の音声データに基づいて音声を出力する。
【００２７】
記憶部２５は、ＨＤＤ（Hard Disk Drive）や不揮発性の半導体メモリ等により構成される。記憶部２５には、ＣＰＵ２１で実行されるシステムプログラムや各種処理プログラム、これらのプログラムの実行に必要なデータ等が記憶されている。また、記憶部２５は、コンテンツ制御装置１から送信されるコンテンツ情報が一時的に記憶される。
【００２８】
通信部２６は、コンテンツ制御装置１とのデータ通信を行うためのインターフェースである。
【００２９】
モーションセンサ２７は、図１に示すようにデジタルサイネージ装置２の正面側に設けられ、デジタルサイネージ装置２の前にいる人物の動きを検出する。モーションセンサ２７の検知結果は、通信部２６を介してコンテンツ制御装置１に出力される。
【００３０】
［コンテンツ表示システム１００の動作］
次に、本実施形態におけるコンテンツ表示システム１００の動作について説明する。
図４は、コンテンツ制御装置１において実行されるコンテンツ制御処理のフローチャートである。コンテンツ制御処理は、コンテンツ制御装置１の電源がＯＮとなった際に、ＣＰＵ１１とプログラム記憶部１３１に記憶されているプログラムとの協働により実行される。
【００３１】
まず、ＣＰＵ１１は、デジタルサイネージ装置２の向きを取得する（ステップＳ１）。
例えば、ＣＰＵ１１は、操作表示部１２に「コンテンツ制御装置１とデジタルサイネージ装置２の向きが同じになるようにコンテンツ制御装置１を配置してください」等のメッセージを表示し、ユーザにコンテンツ制御装置１とデジタルサイネージ装置２の向きが同じになるようにコンテンツ制御装置１を配置させてセンサ１５の検出値を取得することにより、デジタルサイネージ装置２の向きの情報を取得する。
【００３２】
ここで、コンテンツ制御装置１の向きとは、具体的には、コンテンツ制御装置１の操作表示部１２が向いている方向である。デジタルサイネージ装置２の向きとは、具体的には、デジタルサイネージ装置２の表示部２３が向いている方向である。なお、デジタルサイネージ装置２の向きは、デジタルサイネージ装置２の起動中は固定であるものとする。
【００３３】
次いで、ＣＰＵ１１は、センサ１５から検出値を取得して自装置の向きの情報を取得し（ステップＳ２）、自装置の向きがデジタルサイネージ装置２の向きと同じであるか否かを判断する（ステップＳ３）。
【００３４】
自装置の向きがデジタルサイネージ装置２の向きと同じであると判断した場合（ステップＳ３；ＹＥＳ）、ＣＰＵ１１は、コンテンツ記憶部１３２に記憶されている状態１のコンテンツを通信部１４によりデジタルサイネージ装置２に送信して、状態１のコンテンツを表示部２３に表示させ（ステップＳ４）、ステップＳ２に戻る。なお、コンテンツに応じて操作表示部１２によりユーザ操作が入力された場合、ＣＰＵ１１は、ユーザ操作に応じた処理を実行する。
デジタルサイネージ装置２においては、通信部２６によりコンテンツ制御装置１からコンテンツ情報を受信すると、受信した状態１のコンテンツ情報の画像データに基づいて、表示部２３に状態１のコンテンツを表示するとともに、音声出力部２４によりコンテンツ情報の音声データに基づく音声を出力する。
【００３５】
自装置の向きがデジタルサイネージ装置２の向きと異なると判断した場合（ステップＳ３；ＮＯ）、ＣＰＵ１１は、状態２のコンテンツのコンテンツ情報をコンテンツ記憶部１３２から読み出して通信部１４によりデジタルサイネージ装置２に送信し、状態２のコンテンツを表示部２３に表示させ（ステップＳ５）、ステップＳ２に戻る。
デジタルサイネージ装置２においては、通信部２６によりコンテンツ制御装置１からコンテンツ情報を受信すると、受信した状態２のコンテンツ情報の画像データに基づいて、表示部２３に状態２のコンテンツを表示するとともに、音声出力部２４によりコンテンツ情報の音声データに基づく音声を出力する。
【００３６】
ＣＰＵ１１は、電源がＯＦＦとなるまで、ステップＳ２〜ステップＳ５の処理を繰り返し実行する。
【００３７】
以上説明したように、コンテンツ制御装置１のＣＰＵ１１によれば、デジタルサイネージ装置２の向きの情報と自装置の向きの情報とを取得し、デジタルサイネージ装置２の向きの情報と自装置の向きの情報とに基づいて、デジタルサイネージ装置２に表示するコンテンツを切り替える。例えば、デジタルサイネージ装置２の向きと自装置の向きが同じである場合は、デジタルサイネージ装置２に表示するコンテンツを操作表示部１２によりユーザ操作を受け付けるコンテンツに切り替え、デジタルサイネージ装置２の向きと自装置の向きが異なる場合は、デジタルサイネージ装置２に表示するコンテンツをユーザ操作を受け付けないコンテンツに切り替える。
【００３８】
従って、例えば、図５に示すように、デジタルサイネージ装置２の表示部２３の向きとコンテンツ制御装置１の操作表示部１２の向きが同じとなるように、即ち、ユーザが表示部２３を見ながら操作できる向きにコンテンツ制御装置１を設置するだけで、ユーザ操作を受け付けるコンテンツに切り替えることができる。また、例えば、図６に示すように、デジタルサイネージ装置２の表示部２３の向きとコンテンツ制御装置１の操作表示部１２の向きが異なるように、即ち、ユーザが表示部２３を見ながら操作できない（又は操作しづらい）向きにコンテンツ制御装置１を設置するだけで、ユーザ操作を受け付けないコンテンツに切り替えることができる。
このように、コンテンツ制御装置１の向きを変えるという直感的な操作でデジタルサイネージ装置２に表示するコンテンツを容易に切り替えることができる。
【００３９】
なお、上記実施形態における記述内容は、本発明に係るコンテンツ表示システムの好適な一例であり、これに限定されるものではない。
【００４０】
例えば、上記実施形態においては、状態１のコンテンツがユーザ操作を受け付けるコンテンツであり、状態２のコンテンツがユーザ操作を受け付けないコンテンツである場合を例にとり説明したが、状態１、状態２のコンテンツは、これらに限定されない。例えば、状態１のコンテンツをコンテンツ制御装置１の操作表示部１２によりユーザ操作を受け付けるコンテンツとし、状態２のコンテンツをモーションセンサ２７によりユーザ操作を受け付けるコンテンツとしてもよい。このようにすれば、例えば、コンテンツ制御装置１とユーザとの距離が遠く、ユーザがコンテンツ制御装置１を用いて操作を行うことが不可能である場合、コンテンツ制御装置１の向きをデジタルサイネージ装置２と異なる向きにしておくだけで、デジタルサイネージ装置２に表示するコンテンツをモーションセンサ２７によりユーザ操作を受け付けるコンテンツに切り替えることが可能となる。
【００４１】
また、上記実施形態において、ＣＰＵ１１は、コンテンツ制御装置１の向きがデジタルサイネージ装置２の向きと同じであるか否かに基づいて、デジタルサイネージ装置２に表示するコンテンツを切り替えることとしたが、これに限定されない。例えば、（１）コンテンツ制御装置１の向きがデジタルサイネージ装置２の向きと同じである場合、（２）コンテンツ制御装置１の向きが上向きである場合、（３）コンテンツ制御装置１の向きがデジタルサイネージ装置２の向きと同じではなく、かつ、上向きでもない場合、の３つの状態のいずれに該当するかに基づいて、デジタルサイネージ装置２に表示するコンテンツを切り替えることとしてもよい。例えば、（１）の場合、２つの表示部を使用するコンテンツ（例えば、２つのパーツからなるコンテンツ）の各パーツを表示部２３と操作表示部１３にそれぞれ表示し、（２）の場合、ユーザ操作を受け付けるコンテンツを表示し、（３）の場合、ユーザ操作を受け付けないコンテンツを表示することとしてもよい。
【００４２】
また、上記実施形態において、操作部がタッチパネル方式の操作表示部１２であることとして説明したが、操作部は物理的な操作ボタン等であってもよい。
【００４３】
また、上記実施形態においては、本発明をプロジェクタからスクリーンに画像を投影することで画像の表示を行うデジタルサイネージ装置に適用した場合を例にとり説明したが、例えば、液晶ディスプレイ、プラズマディスプレイ等を備える表示装置に適用しても同様の効果を奏することができ、この例に限定されない。
【００４４】
その他、コンテンツ表示システムを構成する各装置の細部構成及び細部動作に関しても、発明の趣旨を逸脱することのない範囲で適宜変更可能である。
【００４５】
本発明のいくつかの実施形態を説明したが、本発明の範囲は、上述の実施形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
［付記］
＜請求項１＞
外部の表示装置に表示するコンテンツを制御するコンテンツ制御装置であって、
前記表示装置の向きの情報を取得する第１の取得部と、
自装置の向きの情報を取得する第２の取得部と、
前記表示装置の向きの情報と前記自装置の向きの情報とに基づいて、前記表示装置に表示するコンテンツを切り替える制御部と、
を備えるコンテンツ制御装置。
＜請求項２＞
前記表示装置の向きは、前記表示装置の表示部の向きであり、
前記自装置の向きは、前記自装置の操作部の向きであり、
前記自装置の操作部は、前記表示装置に対するユーザ操作を入力可能である請求項１に記載のコンテンツ制御装置。
＜請求項３＞
前記制御部は、前記表示装置の向きと前記自装置の向きが同じである場合は、前記表示装置に表示するコンテンツを前記操作部によりユーザ操作を受け付けるコンテンツに切り替える請求項２に記載のコンテンツ制御装置。
＜請求項４＞
前記制御部は、前記表示装置の向きと前記自装置の向きが異なる場合は、前記表示装置に表示するコンテンツをユーザ操作を受け付けないコンテンツに切り替える請求項３に記載のコンテンツ制御装置。
＜請求項５＞
前記制御部は、前記表示装置の向きと前記自装置の向きが異なる場合は、前記表示装置に表示するコンテンツをモーションセンサによりユーザ操作を受け付けるコンテンツに切り替える請求項３に記載のコンテンツ制御装置。
＜請求項６＞
前記操作部は、表示部の表示画面上にタッチパネルを備えて構成されており、
前記制御部は、前記表示装置の向きと前記自装置の向きが同じである場合は、前記表示装置に表示するコンテンツを２つの表示部を使用するコンテンツに切り替える請求項２に記載のコンテンツ制御装置。
＜請求項７＞
前記制御部は、前記表示装置の向きと前記自装置の向きが異なり、前記自装置が上向きである場合は、前記表示装置に表示するコンテンツを前記操作部によりユーザ操作を受け付けるコンテンツに切り替え、前記自装置が上向きでない場合は、前記表示装置に表示するコンテンツをユーザ操作を受け付けないコンテンツに切り替える請求項６に記載のコンテンツ制御装置。
＜請求項８＞
外部の表示装置に表示するコンテンツを制御するコンテンツ制御装置におけるコンテンツ制御方法であって、
前記表示装置の向きの情報を取得する第１の取得工程と、
自装置の向きの情報を取得する第２の取得工程と、
前記表示装置の向きの情報と前記自装置の向きの情報とに基づいて、前記表示装置に表示するコンテンツを切り替える制御工程と、
を含むコンテンツ制御方法。
＜請求項９＞
外部の表示装置に表示するコンテンツを制御するコンテンツ制御装置に用いられるコンピュータを、
前記表示装置の向きの情報を取得する第１の取得部、
自装置の向きの情報を取得する第２の取得部、
前記表示装置の向きの情報と前記自装置の向きの情報とに基づいて、前記表示装置に表示するコンテンツを切り替える制御部、
として機能させるためのプログラム。
【符号の説明】
【００４６】
１  コンテンツ制御装置
１１  ＣＰＵ
１２  操作表示部
１３  記憶部
１３１  プログラム記憶部
１３２  コンテンツ記憶部
１４  通信部
１５  センサ
２  デジタルサイネージ装置
２１  ＣＰＵ
２２  プロジェクタ
２３  表示部
２４  音声出力部
２５  記憶部
２６  通信部
２７  モーションセンサ
【図１】
2018045348.tif 000003
【図２】
2018045348.tif 000004
【図３】
2018045348.tif 000005
【図４】
2018045348.tif 000006
【図５】
2018045348.tif 000007
【図６】
2018045348.tif 000008